(57)【要約】      （修正有）【課題】出張や旅行先でハンガー機能兼用で部屋の中に洗濯物が干せて、且つコンパクトで持ち運びやすい大きさと形を有する部屋干し兼用Ｗハンガーを提供する。【解決手段】Ｗハンガー本体Ａと、２本のハンガーＢ１、Ｂ２と、Ｖ字部屋干しフック器Ｅの４つのパーツからなる。ハンガーとして使う時は、ネックａをネック留めａ１に固定して縦２段のＷハンガーとし、洗濯物を干すときは、ネック留めからネックを外して天秤状態にして、本体の両端に位置する２つのハンガーにそれぞれ洗濯物が干せるようにした。Ｖ字部屋干しフック器をフックｅ１を用いてカーテンレールやその溝、ドアの上部に掛けて、安定固定し、天秤状態になったＷハンガーをフック穴ｅ３に掛けて吊るす。【選択図】図１
0003195275.tif 000002
【実用新案登録請求の範囲】
【請求項１】
（図２）の部屋干し兼用Ｗハンガーは上部ハンガーかけと下部ハンガー掛けと上下２段にハンガーを掛けて使用する。
上部ハンガー掛けは下部ハンガー掛けより長くなっており、上下段のハンガーに掛けた服の重なりを少なくする。
ハンガーネックを仮留めより外すと、ハンガーネックを固定した中心部位で天秤状態になり、両端のハンガーに洗濯物を干せ、通常Ｗハンガーとして使用し、又部屋干しできるＷハンガーとして利用できる。
【請求項２】
（図３）Ｖ字部屋干しフック器は部屋のカーテンレールやその溝、ドアの上部にフック掛け、Ｖ字の形に固定して（図２）の部屋干し兼用Ｗハンガーを吊るす器具。Ｖ字に可動できることにより、吊るされた洗濯物の重量をＶ字の各方向へ分散でき、且つ洗濯物をカーテンやドアに接触させない。
【請求項３】
ハンガー本体はＴ字ネックになっており、簡単に掛け外しできＴ字ネック専用のハンガーフックを使うことにより、横にネック部位がふらつくことがない。
ハンガー下部は２段になっており、隙間にズボンを差し込んで掛けてもずり落ちない。
【考案の詳細な説明】
【技術分野】
【０００１】  本考案は、２段式のＷハンガー機能と洗濯物を部屋で干せる２つの機能を持たせたものである。
【考案の概要】
【考案が解決しようとする課題】
【０００２】  出張や旅行先のホテル、旅館でちょっとした洗濯物の干し場所に困ることが多く、バスルームに干したりするが、乾きが悪い。
そのような時、普通はハンガーとして利用でき、洗濯物がある時はエアコンの風があたる部屋の中に干せるようにしたい。
【課題を解決するための手段】
【０００３】  部屋干し兼用Ｗハンガー（図２）のネックａを留めているａ１よりはずして９０度まで動ける固定部位ａａを中心にぶらさげ、天秤状態にする。
次にＶ字ハンガーフック器（図３）をｅ１、ｅ２を利用してカーテンレールやドアにかけて安定固定し、ｅ３に部屋干し兼用Ｗハンガーのネックａを掛ける。
【考案の効果】
【０００４】  エアコンの風が当たるカーテンレールやドアに掛けて干せることで洗濯物が乾きやすい。且つＶ字ハンガーフック器につるせることで、部屋干し兼用Ｗハンガーが水平に固定でき、洗濯物が、カーテンやドアに触れることなく干せる。
【図面の簡単な説明】
【０００５】
【図１】はＶ字ハンガーフック器（図３）に部屋干し兼用Ｗハンガー（図２）をつるして部屋干ししている実施立面図である。
【図２】はハンガー掛け本体ＡにＢ１、Ｂ２のハンガーを掛けて、Ｗハンガーとしている。部屋干し兼用Ｗハンガーの実施平面図である。Ｂ１とＢ２はハンガーでネックが短いＢ１はａ２へ、ネックが長いＢ２はａ３へ掛け、ａ２はａ３より凸部分が長い。これは、Ｂ１に掛けた服がＢ２に掛けた服に重なりにくくするためであり、（図１）の部屋干し実施立面図の天秤状態を保てるよう均衡にするためである。
【図３】はＶ字ハンガーフック器の平面図であり実施図１はｅ１をカーテンレールに掛けている。実施図２はｅ１をカーテンレールの溝に掛けている。実施図３はｅ１をドア上部に掛けている。実施立面図であり、それぞれｅ２が抑えとしてずり落ちを防いでいる。
【考案を実施するための形態】
【０００６】（図２）は通常のたて２段のＷハンガーとして使用する状態である。
これをａ１で仮留めしているハンガーネックａをはずすと中心点ａａで固定留めされたハンガーネックａ（９０度直角可動）にて２つのハンガーは天秤状態となる。
（図３）のＶ字ハンガーフック器のｅ１をカーテンレールやその溝、ドア上部に掛けて固定し、ｅ３に（図２）の本体Ａのハンガーネックａを掛けると、（図１）の部屋干しの立面図の状態となり、ハンガーに洗濯物を掛けて部屋の中で干せる。
【実施例】以下、添付図面に従って実施例を説明する。
Ａ、Ｅ、Ｂ１、Ｂ２は耐久性のプラスチック等適宜素材
（一部分ａ２、ａ３、ａａ、ｅ１はステンレス等の剛スチール）【０００７】（図１）は部屋干し兼用Ｗハンガーで（図２）の本体Ａのネックａをネック留めａ１からはずしてＶ字部屋干しフック器（図３）のｅ３に掛け、ｅ１をカーテンレールやその溝・ドア上部に掛けてｅ２とｅ４で押さえ固定して部屋干ししている実施立面図である。
部屋干し兼用Ｗハンガーは、ハンガーとして利用する（図２）の状態からａをｅ３に掛けて吊るすことにより、天秤状態になりＢ１、Ｂ２のそれぞれのハンガーに洗濯物を干せる。
Ｖ字部屋干しフック器（図３）は、ｅ１、ｅ２、ｅ４にてＶ字固定となりｅ３に吊るされた部屋干し兼用Ｗハンガーはカーテンやドアから離れて吊るされ、洗濯物がカーテン、ドアに接触することなく干せる。尚、Ｖ字のフック器の構造により、ｅ３にかかる洗濯物の重量がｅ１、ｅ３、ｅ４の三方向へ分散され、ｅ３にかかる負担が軽くなる。
尚、ハンガーＢ１、Ｂ２はＴ字ネックになっており、簡単に掛け外しができハンガー下部は２段になっており、その隙間にズボンを差し込んで掛けてもずり落ちないようになっている。
【符号の説明】
【０００８】Ａ    部屋干し兼用Ｗハンガーの本体
ａ    Ａ本体のハンガーネック
ａａ  ハンガーネックを固定する部位（９０度可動）
ａ１  ハンガーネックを仮留めする部位
ａ２  ハンガーＢ１を掛ける部位
ａ３  ハンガーＢ２を掛ける部位
Ｂ１  ａ２に掛けるＴ字ネックハンガー
Ｂ２  ａ３に掛けるＴ字ネックハンガー
Ｅ    Ｖ字部屋干しフック器
ｅ１  カーテンレールやその溝、ドア上部に掛けるフック
ｅ２  ｅ１で掛けた状態を支えて外れないようにする部位
ｅ３  Ａ本体のハンガーネックａを掛ける部位
ｅ４  壁やドアに当てて本体ＥをＶ字状態にして固定する部位
【図１】
0003195275.tif 000003
【図２】
0003195275.tif 000004
【図３】
0003195275.tif 000005
【手続補正書】
【提出日】平成26年10月23日(2014.10.23)
【手続補正１】
【補正対象書類名】実用新案登録請求の範囲
【補正対象項目名】全文
【補正方法】変更
【補正の内容】
【実用新案登録請求の範囲】
【請求項１】
本体に縦上下２本のＴ字ネックのハンガーを掛けたＷハンガーとして、２本のハンガーを掛けた本体のハンガーネックを留めたネック部位から外して天秤状態にすると、両端の２本のハンガーに洗い物を掛けられるようになり、Ｗハンガーに洗濯物を干せる２つの機能を兼用することを特徴とする
部屋干し兼用Ｗハンガー
【請求項２】
本体先端がカギ状になったフック部位で、部屋のカーテンレールやその溝、ドアの上部にフック器本体を掛け、Ｖ字型の中心部のカギ穴フックに請求項１に記載の部屋干し兼用Ｗハンガー本体のハンガーネックを掛けることができ、Ｖ字型の中心部とカギ状になったフックの先端でないもう一方の先端部は可動式になっており、簡単に自由なＶ字角度に固定でき、洗濯物の荷重がＶ字各方向へ分散され重い洗濯物を吊り下げられることを特徴とする
Ｖ字部屋干しフック器
【請求項３】
ハンガー本体は、円形断面の棒で作られたＴ字型ネックの二等辺三角形状で、ハンガーの底辺部は縦２段になっており、その隙間はズボンを差し込んで掛けることができ、Ｔ字ネックは掛け外しが簡単で横揺れが少ないことを特徴とする
Ｔ字ネックハンガー